(57)【要約】【課題】リモコンで当日の使用量を把握することができるが、具体的どのような方法で、省エネ行動を行えばよいのか分からないという問題があった【解決手段】前記制御装置は、前記湯張り運転開始時に、浴室内に設けた浴室温度センサで検出した浴室温度が所定浴室温度以上であり、屋外に設けた外気温度センサで検出した外気温度が所定外気温度以上である場合、前記湯張り設定温度と前記湯張り設定量のいずれか、または、両方の値を下げた省エネ湯張り運転を行うことで、高い湯張り温度及び多い湯張り量を必要としない環境において節電節水を行うことができ、使い勝手の良い方法で省エネ行動を行える。【選択図】図２
2018084345.tif 000002
【特許請求の範囲】
【請求項１】
各センサの出力に基づいて所定の演算を行い機器の運転を制御する制御装置と、前記制御装置と通信可能なリモコンとを有し、前記リモコンで予め任意に設定した湯張り設定温度と湯張り設定量の湯を浴槽へ湯張りする湯張り運転を行う風呂給湯機において、前記制御装置は、前記湯張り運転開始時に、浴室内に設けた浴室温度センサで検出した浴室温度が所定浴室温度以上であり、屋外に設けた外気温度センサで検出した外気温度が所定外気温度以上である場合、前記湯張り設定温度と前記湯張り設定量のいずれか、または、両方の値を下げた省エネ湯張り運転を行うことを特徴とする風呂給湯機。
【発明の詳細な説明】
【技術分野】
【０００１】
この発明は、浴槽への湯張りを行う貯湯式給湯機に関するものである。
【背景技術】
【０００２】
従来より、この種の貯湯式給湯機は、水道から供給した水を加熱手段で温め、温めた湯水を貯湯タンク等に蓄え、ユーザーが浴室に備えたリモコン及び浴室外に備えたリモコンで湯張り設定温度、及び湯張り設定量を任意で設定し、所望の湯張り運転をするものがあった。
【０００３】
また、最近は過剰なエネルギーを抑制し、エネルギーを節約する動きが高まっており、お風呂の湯張りについて、簡単な方法で自動に余分なエネルギーを節約し、節水節電が行える給湯機がユーザーに求められていた。
【０００４】
また、熱源機器の当日の使用量をリモコンに表示できるようにして、当日の消費行動を抑制する契機となり得るようにするものがあった（特許文献１）。
【先行技術文献】
【特許文献】
【０００５】
【特許文献１】特開２０１６―３５３８３号公報
【発明の概要】
【発明が解決しようとする課題】
【０００６】
しかし、特許文献１のような構成では、リモコンで当日の使用量を把握することができるが、具体的どのような方法で、省エネ行動を行えばよいのか分からないという問題があった。
【課題を解決するための手段】
【０００７】
本発明は上記課題を解決するため、各センサの出力に基づいて所定の演算を行い機器の運転を制御する制御装置と、前記制御装置と通信可能なリモコンとを有し、前記リモコンで予め任意に設定した湯張り設定温度と湯張り設定量の湯を浴槽へ湯張りする湯張り運転を行う風呂給湯機において、前記制御装置は、前記湯張り運転開始時に、浴室内に設けた浴室温度センサで検出した浴室温度が所定浴室温度以上であり、屋外に設けた外気温度センサで検出した外気温度が所定外気温度以上である場合、前記湯張り設定温度と前記湯張り設定量のいずれか、または、両方の値を下げた省エネ湯張り運転を行うようにした。
【発明の効果】
【０００８】
このように請求項１の発明によれば、浴室温度が所定浴室温度以上であり、外気温度が所定外気温度以上である場合は、湯張り設定温度と湯張り設定量のいずれか、または、両方を下げて湯張り運転を行うことで、高い湯張り温度及び多い湯張り量を必要としない環境において節電節水を行うことができる。
【図面の簡単な説明】
【０００９】
【図１】本発明の第１実施形態の貯湯式給湯機の概略構成図
【図２】本発明の第１実施形態を説明するためのフローチャート図
【発明を実施するための形態】
【００１０】
本発明の貯湯式給湯機の第一実施形態を図１に基づいて説明する。
１はＨＰユニット、２はタンクユニット、３は浴室である。
４はタンクユニット２内の湯水を貯湯する貯湯タンク、５は貯湯タンク４に給水する給水管、６は貯湯タンク４上部に接続された出湯管、７はＨＰユニット内の冷凍サイクルを用いて、貯湯タンク４下部からくみ上げた水を加熱するヒートポンプ式加熱手段、８はＨＰユニット１内に備えた外気温度を検出するための外気温度センサである。
【００１１】
９は給水管６の途中で分岐する給湯用給水バイパス管、１０は貯湯タンク４から取り出した高温水と給湯用給水バイパス管９の給水を適宜の比率で混合して給湯設定温度に調整する給湯混合弁、１１は給湯混合弁１０で混合された湯水が流れる給湯管、１２は給湯管１１を流れる流量を検出する給湯フローセンサ、１３は給湯管１２を流れる湯水の温度を検出する給湯温度センサ、１４はユーザーが開閉を行うシャワー等の給湯栓である。
【００１２】
１５は給水管５の途中で分岐する湯張り用給水バイパス管、１６は取り出した貯湯タンク４の高温水と湯張り用給水バイパス管１５の給水を適宜の比率で混合して湯張り設定温度に調整する湯張り混合弁、１７は湯張り混合弁１６で混合された湯水が流れる湯張り管、１８は湯張り管１７を流れる流量を検出する湯張りフローセンサ、１９は湯張り管１７の開閉を行う電磁弁、２０は湯張り管１７を流れる湯水の温度を検出する湯張り温度センサ、２１は浴槽である。
【００１３】
２２は風呂の追い焚き経路である風呂配管、２３は風呂往き温度を検出する風呂往き温度センサ、２４は貯湯タンク１上部の湯水と熱交換するために設けられた風呂熱交換器、２５は風呂配管２２の途中で風呂熱交換器２４を迂回するように流路の切り替えを行う風呂三方弁である。
【００１４】
２６はマイコン等からなる、各センサの出力に基づいて所定の演算を行い機器の運転を制御する制御装置、２７は温度変更手段、２８はユーザーが操作することで、給湯及び湯張りの設定温度である給湯設定温度と湯張り設定温度及び湯張りの設定量である湯張り設定量を適宜変更できる操作部を有し、操作した内容を制御装置２６に通信可能に接続された浴室リモコン、２９は浴室リモコン２８と同様の機能を持っている浴室以外に設けた台所リモコン、３０は湯張りスイッチ、３１は任意に設定した湯張り設定温度と湯張り設定量のいずれか、または、両方を下げることで、節電節水できる省エネスイッチ、３２は各リモコンで設定した内容を確認及び報知するための表示部、３３は制御装置２６で演算した結果に基づき、湯張り完了報告やユーザーに所定の動作を促すことを報知するスピーカー、３４は浴室リモコン２８内部にだけ設けられた浴室３内の温度を検出する浴室温度センサである。また、ユーザーに所定の動作を促す表示部３２とスピーカー３３は総称して報知部とする。
【００１５】
３５は、省エネスイッチ３１がＯＮの場合、外気温度センサ８で検出した外気温度が所定外気温度以上であると共に、浴室温度センサ３４で検出した浴室温度が所定浴室温度以上であれば、予め設定された湯張り設定温度と湯張り設定量のいずれか、または、両方を下げることで節電節水を行う省エネ湯張り運転を行うと共に、省エネ湯張り運転の制御を行う省エネ湯張り運転制御手段である。
【００１６】
次に、給湯動作ついて説明する。
給湯栓１４が開かれると給水管５から給水され、貯湯タンク４下部に流入すると共に、給湯用給水バイパス管９を通り、貯湯タンク４上部から押し出された高温水と給湯用給水バイパス管９の給水が給湯混合弁１０で混ぜ合わされ、給湯設定温度と給湯温度センサ１３で検出された温度が同じなるように調整された湯水が給湯栓１４から給湯される。
【００１７】
また、通常湯張り運転について説明する。
浴室リモコン２８または台所リモコン２９の風呂湯張りスイッチ３０が押されると制御装置２６が電磁弁１９を開状態にして、給水管５から給水を供給し、貯湯タンク４下部に流入すると共に、湯張り用給水バイパス管１５を通り、貯湯タンク４上部から押し出された高温水と湯張り用給水バイパス管１５の給水が湯張り混合弁１６で混ぜ合わされ、湯張り設定温度と湯張り温度センサ２０で検出された温度が同じになるように調整された湯水が風呂三方弁２５で風呂熱交換器２４を迂回して浴槽２１に流入されることで湯張りが開始される。そして、湯張りフローセンサ１８で流れた流量を検出して、流れた流量の合計積算値が湯張り設定量分流れたら制御装置２６が電磁弁１９を閉状態にすることで通常湯張り運転を終了する。
【００１８】
次に、省エネ湯張り運転について図２のフローチャートに基づいて詳しく説明する。
【００１９】
湯張りスイッチ３０が押されると（Ｓ１がＹｅｓ）、制御装置２６は浴室リモコン２８に設けた浴室温度センサ３４で検出した浴室温度が所定浴室温度以上（ここでは２８℃）であることと（Ｓ２）、ＨＰユニット１に設けた外気温度センサ８で検出した外気温度が所定外気温度以上（ここでは２５℃）であるかを確認する（Ｓ３）。
【００２０】
このように、外気温度だけで省エネ湯張り運転を判断した場合では、日中では太陽光により気温が高かったが、日陰にあった浴室の温度が上がらず、浴室温度は低いのに省エネ湯張りを行ってしまい、ユーザーが湯加減に満足いかない状況が考えられる。また、浴室温度だけで省エネ湯張り運転を判断した場合では、室内の暖房により浴室温度は高くはあるが、ユーザーが外出していて帰宅したときに熱い風呂を所望していたのに、湯張り温度の低い省エネ湯張りをして、ユーザーが湯加減に満足いかないことが考えられるが、外気温度と浴室温度の両方を監視しているので、精度の高い判定を行うことができ、ユーザーの満足度を下げることなく省エネ湯張り運転を行うことができる。
【００２１】
ここで、浴室温度と外気温度のどちらか一方が所定浴室温度以下、所定外気温度以下であったら、任意で設定した湯張り設定温度、湯張り設定量で湯張りをする通常湯張り運転を行う（Ｓ４）。これで、所望していない省エネ湯張り運転を回避することができる。
【００２２】
その後、制御装置２６は、湯張り混合弁１６を湯張り設定温度（ここでは４２℃）で、電磁弁１９を開弁し、通常湯張り運転を開始する（Ｓ５）。
【００２３】
そして、制御装置２６は湯張り設定温度（ここでは４２℃）及び湯張り設定量（ここでは１８０Ｌ）に達したことを確認し（Ｓ６）、湯張り設定温度及び湯張り設定量に達していたら（Ｓ６がＹｅｓ）、電磁弁１９を閉状態にして、浴槽２１への供給を停止する。そして、表示部３２及びスピーカー３３で湯張りが終了したことをユーザーに報知する（Ｓ７）。
【００２４】
また、浴室温度が所定浴室温度以上で（Ｓ２がＹｅｓ）、外気温度が所定外気温度以上であるとき（Ｓ３がＹｅｓ）、節電節水を行う省エネスイッチ３１の状態を確認し（Ｓ８）、省エネスイッチ３１がＯＮなら「湯張り温度、湯張り量を下げる省エネ湯張りを行います。通常湯張り運転に変更する場合は省エネスイッチをＯＦＦにしてください。」とスピーカー３３または表示部３２で報知し、省エネスイッチ３１がＯＦＦなら「通常湯張りを行います。湯張り温度、湯張り量を下げる省エネ湯張りに変更する場合は省エネスイッチをＯＮにしてください。」とスピーカー３３または表示部３２で報知する（Ｓ９）。
【００２５】
そして、所定時間後（ここでは１０秒程度）省エネスイッチ３１がＯＮであるか確認し（Ｓ１０）、省エネスイッチ３１がＯＦＦであったら（Ｓ１０がＮｏ）、制御装置２６は、湯張り混合弁１６を湯張り設定温度（ここでは４２℃）で、電磁弁１９を開弁し、通常湯張り運転を開始する（Ｓ５）。
【００２６】
また、省エネスイッチ３１がＯＮであったら（Ｓ１０がＹｅｓ）、省エネ湯張り運転制御手段３５は、浴室内及び屋外は暖かく、たっぷりの温かい湯に浸かる必要はなく、ユーザーは節電節水を所望していると判断し、通常湯張り運転を省エネ湯張り運転に切り替えて運転を行う（Ｓ８）。
【００２７】
ここで、省エネ湯張り運転制御手段３５は、湯張り混合弁１２を湯張り設定温度（ここでは４２℃）よりも低くなるように開度を開き（ここでは湯張り設定温度−１℃）（Ｓ１２）、電磁弁１９を開弁し、省エネ湯張り運転を開始する（Ｓ１０）。このとき、湯張り設定量（１８０Ｌ）を省エネ湯張り量（湯張り設定量−２０Ｌ）に変更し、湯張り量を少なくする。
【００２８】
その後、省エネ湯張り運転制御手段３５は省エネ湯張り温度（ここでは４１℃）及び湯張り量（ここでは１６０Ｌ）に達したことを確認し（Ｓ１４）、省エネ湯張り温度及び省エネ湯張り量に達していたら（Ｓ１４がＹｅｓ）、電磁弁１９を閉じて、省エネ湯張りを完了し、表示部３２及びスピーカー３３で湯張りが終了したことをユーザー報知する（Ｓ７）
【００２９】
このように、浴室温度と外気温度の両方で監視することで、精度の高い判定を行うことができ、高い湯張り温度も多い湯張り量も必要ない環境では、省エネスイッチ３１が押されていれば、自動で省エネ湯張りを行うことができ、過剰なエネルギーを抑制することができる。
【００３０】
また、季節が変わるたびに、節電節水のために湯張り温度や湯張り設定量を変更し、省エネ湯張り運転するのでは、操作手順が多く煩わしいが、省エネスイッチ３１の変更１つの手順で省エネ湯張り運転と通常湯張り運転を切り替えることができるので、使い勝手の良い節電節水をおこなうことができる。
【００３１】
なお、本発明は第１及び第２実施形態に限定されるものではなく、要旨を変更しない範囲で改変する事を妨げるものではなく、例えば、今回はヒートポンプ式貯湯給湯機を用いて説明したが、貯湯タンク１内にヒーターを設けた電気温水器や、がスや石油を燃焼させる燃焼式給湯機でもよいものとする。
【００３２】
また、本発明では省エネ湯張り運転の省エネ湯張り温度は湯張り設定温度の−１℃、省エネ湯張り量は湯張り設定量の−２０Ｌとしていたが、ユーザーが任意で設定できるように各リモコンで操作できるようにすれば、よりユーザーに合う省エネ湯張り運転を行うことができる。
【００３３】
また、本発明では所定浴室温度と所定外気温度をそれぞれ２８℃と２５℃と定めていたが、ユーザーが任意に、例えばそれぞれ２７℃以上、２６℃以上になる場合は、省エネ湯張り運転を行うなどの温度の設定変更を行えるものなら、省エネ湯張り運転開始の自由度が増し、より使用勝手の良い省エネ湯張り運転を行うことができる。
【符号の説明】
【００３４】
１    ＨＰユニット
２    タンクユニット
３    浴室
８    外気温度センサ
１５  湯張り用給水バイパス管
１６  湯張り混合弁
１７  湯張り管
１８  湯張りフローセンサ
１９  電磁弁
２０  湯張り温度センサ
２１  浴槽
２６  制御装置
２７  温度変更手段
２８  浴室リモコン
２９  台所リモコン
３０  湯張りスイッチ
３１  省エネスイッチ
３４  浴室温度センサ
３５  省エネ湯張り運転制御手段
【図１】
2018084345.tif 000003
【図２】
2018084345.tif 000004